(57)【要約】【課題】付随情報をその伝送量を削減した状態で送信できるようにする。【解決手段】ＤＶＤ２７からの映像情報はＭＰＥＧエンコーダ部２０Ｂで圧縮符号化と暗号化され、パケット化されて送信される。映像情報を制御するための付随情報も同時に処理する。付随情報は映像情報から分離されて処理される。映像情報はエラーの発生が少ないのでＵＤＰプロトコルによってエンコード処理される。付随情報は、エラーを考慮してＴＣＰプロトコルに則ってエンコード処理される。付随情報は符号化情報生成部３４で符号化処理される。付随情報が挿入されている期間の全てに亘り、その情報を伝送するのではなく、付随情報の挿入期間の最初と最後のみ付随情報およびこの付随情報に関連した情報のみを圧縮して伝送する。付随情報の種別を示す情報や、付随情報の開始および終了を示す情報が符号化される。これによって伝送すべき情報量を大幅に削減できる。【選択図】        図４
2008066898.tif 000002
【特許請求の範囲】
【請求項１】
付随情報が付加された映像情報を送信に適した形態で送信する送信装置であって、
上記付随情報の検出部と、
上記映像情報と付随情報とを分離する分離部と、
分離された映像情報と付随情報とをそれぞれ圧縮符号化したのちパケット化する信号処理部と、
通信用のＬＡＮインタフェース部とを有し、
上記映像情報と付随情報とは異なるデータ形式で送信される
ことを特徴とする送信装置。
【請求項２】
上記信号処理部では、ＭＰＥＧ方式による圧縮処理が行われると共に、
上記映像情報はＵＤＰプロトコルに基づいてパケット化され、上記付随情報はＴＣＰプロトコルに基づいてパケット化される
ことを特徴とする請求項１記載の送信装置。
【請求項３】
上記付随情報は、コピーガード信号などの上記映像情報に対する制御情報である
ことを特徴とする請求項１記載の送信装置。
【請求項４】
検出された上記付随情報の最初のタイミングと最後のタイミングのみ、上記付随情報およびその関連情報をまとめて付随情報として符号化処理する
ことを特徴とする請求項１記載の送信装置。
【請求項５】
通信用のＬＡＮインタフェース部と、
このＬＡＮインタフェース部によって受信された情報のうち、映像情報と付随情報とに分けてデコードする信号処理部と、
デコードされた映像情報を、同期信号が付加された映像信号に再構築する映像ビデオエンコーダと、
上記デコードされた付随情報から本来の付随情報を生成する付随情報生成部と、
生成された上記付随情報を上記映像信号に合成する信号合成部と、
上記映像信号の出力端子を有する
ことを特徴とする受信装置。
【請求項６】
上記付随情報は、コピーガード信号などの上記映像情報に対する制御情報である
ことを特徴とする請求項５記載の受信装置。
【発明の詳細な説明】
【技術分野】
【０００１】
この発明は、映像機器などが設置されている場所とは別の場所あるいは外出先に設置されたテレビ受像機を利用して、映像機器からの映像情報を視聴できるようにした情報送受信システムに適用できる送信装置に関する。
【０００２】
詳しくは、映像情報とこの映像情報に付随する付随情報を、全体の伝送量を増やすことなく伝送できるようにしたものである。
【背景技術】
【０００３】
映像表示部付きの端末装置を外出先に携帯して、自宅に設置された映像機器などを制御して、例えばテレビチューナで受信した放送を、インターネットなどのネットワーク回線を介してリアルタイムで視聴できる視聴システム（情報送受信システム）が開発されている（例えば特許文献１）。
【０００４】
端末装置としては、専用のモニタの他、ノートパソコンのようなパーソナルコンピュータ（ＰＣ）や、映像端末表示装置（プレーステーションポータブルＰＳＰ（商標））などが利用される。映像機器としては、テレビの他に、ＤＶＤ、ＶＴＲ、ＳＴＢ（セットトップボックス）などが挙げられる。これらの外部映像機器は、室内に設置された送信装置によって制御される。
【０００５】
インターネット経由で外出先（赴任先や滞在先）の端末装置から送信装置をアクセスすることで、送信装置自体の制御と、外部映像機器の制御が行われる。これにより、ＤＶＤなどを制御して録画された映像などを外出先で楽しむことができる他、送信装置に内蔵されたチューナを制御して、選局された放送番組を外出先に送信することで、リアルタイムでその放送番組を楽しむことができる。
【０００６】
ところで、このような各種の映像の中には、付随情報などのように、映像情報に関連した制御情報がこの映像情報に付加されたものが存在する。付随情報として代表的なものは、コピーガード信号やワイド画面用検出信号などがある。
【０００７】
映像情報に付加された付随情報は、上述した情報送受信システムを構成する端末装置側にとっては不要な情報と言える。付随情報に基づいて端末装置側の映像を制御する必要性が乏しいからである。
【０００８】
例えば、端末装置の映像表示部自体あまりワイド画面ではないので、ワイド画面検出信号を受信したとしても、この検出信号に基づいて画面サイズを変更するまでには及ばないからである。そのため、上述した情報送受信システムにあっては、上述した付随情報は送信装置側で省かれ、端末装置側には伝送されないような構成となされている。
【０００９】
端末装置を送信装置が置かれた場所とは異なる場所例えば、外部映像機器と送信装置とを１階に置き、２階で端末装置を利用するような使用態様も考えられるが、このような場合でも端末装置側に付随情報が送信されることはない。
【００１０】
【特許文献１】特開２００５−３９７８１号
【発明の開示】
【発明が解決しようとする課題】
【００１１】
ところで、この情報送受信システムの一形態として、表示部を備えた端末装置を利用するのではなく、自宅や外出先に設置されたテレビ受像機そのものを映像表示手段として利用する形態が考えられる。
【００１２】
これは、表示部を備えた端末装置にあっては、利便性を考慮すると、携帯性に優れたものでなければならないので、どうしても表示部の画面サイズが小さくなってしまう。画面サイズが小さいと、臨場感に欠けた映像となり、充分な満足感が得られないことはよく経験することである。据え置きのテレビ受像機の場合には、殆どの場合、端末装置よりもその画面サイズが大きいので、そのような問題を払拭できる。
【００１３】
このように外出先などに設置されたテレビ受像機を映像表示手段として利用する場合には、上述した端末装置に代わって、中継装置として機能する受信装置が必要になり、自宅では送信装置とテレビ受像機との間に、外出先では外出先のＬＡＮ回線とテレビ受像機との間に、この受信装置をそれぞれ接続して使用することになる。
【００１４】
したがってこのようなことから受信装置としては、送信装置から送られた受信情報（デジタル圧縮信号）をデコードして元のテレビジョン信号（例えば、映像信号と音声信号からなるアナログテレビジョン信号）に戻す信号変換処理機能を備えていることが必要になる。そして、この受信装置の出力端子に得られたアナログテレビジョン信号を、備え付けのテレビ受像機の入力端子に供給することで、ゆとりある画面に映出された映像を楽しむことができる。
【００１５】
しかし、そうするとこの受信装置を上述した情報送受信システムに適用する場合、送信装置からは付随情報を外した状態の映像情報のみが送信されることになり、そうすると当然ながら受信装置からは付随情報が削除されたテレビジョン信号が出力されてしまう。したがって元々コピーガードのための付随情報が挿入されていた映像信号であっても、受信装置の出力信号を利用すればその出力信号をコピーできてしまうことになる。
【００１６】
これを防止するには、付随情報も映像情報と同時に受信装置側に送信すればよい。しかし、映像情報などを伝送する場合には伝送量を削減するために映像情報のみ（有効画素のみ）を伝送し、ブランキング期間の情報は伝送しないので、ブランキング期間に挿入される場合が多いこの付随情報を伝送しようとすると、ブランキング期間の情報もデジタル化して伝送しなければならないので、当然ながらその分全体の伝送量が増えてしまう。
【００１７】
そこで、この発明はこのような従来の課題を解決したものであって、特に伝送量を余り増やすことなく、付随情報も伝送できるようにした送信装置および受信装置を提案するものである。
【課題を解決するための手段】
【００１８】
上述の課題を解決するため、請求項１に記載したこの発明に係る送信装置は、付随情報が付加された映像情報を送信に適した形態で送信する送信装置であって、
上記付随情報の検出部と、
上記映像情報と付随情報とを分離する分離部と、
分離された映像情報と付随情報とをそれぞれ圧縮符号化したのちパケット化する信号処理部と、
通信用のＬＡＮインタフェース部とを有し、
上記映像情報と付随情報とは異なるデータ形式で送信されることを特徴とする。
【００１９】
請求項１に記載したこの発明は情報の送受信システムに適用できる。情報の送受信システムとは、情報の送信装置とその受信装置とからなり、受信装置で受信した情報は映像表示手段として機能する既存のテレビ受像機によって表示される。送信装置が自宅の１階に設置されているときは、テレビ受像機や受信装置は同じ階の別の部屋か、別の階に設置され、送信装置から離れた状態で情報の送受信が行われる。
【００２０】
送信装置と受信装置との間は、有線通信か無線通信によって結ばれる。何れも、ＩＥＥＥ８０２．３規格に準拠した有線ＬＡＮ若しくはＩＥＥＥ８０２．１１ａ／ｂ／ｇ規格に準拠した無線ＬＡＮによって通信が行われる。送信装置と受信装置との間を無線ＬＡＮ回線によって接続する場合と、送信装置にルータが接続され、ルータと受信装置とをＬＡＮケーブルによって接続した有線ＬＡＮで結ぶ場合とがある。そのため、送信装置と受信装置には、それぞれ上述したＬＡＮインタフェース部（後述する）を備える。
【００２１】
送信装置は受信装置からの制御信号によって制御される。受信装置はリモートコントローラにより制御される。制御すべき情報はテレビ受像機に映し出された項目を選択することによって行われる。テレビ受像機に表示する項目の内容など、表示制御用のソフトウエアは受信装置に保存されており、リモートコントロール信号によってソフトウエアの選択および表示項目（メニューなど）の選択などが行われる。
【００２２】
情報の送信装置は、テレビチューナと、外部入力端子を有する。外部入力端子にはＤＶＤ、ＶＴＲ、ＳＴＢなどの外部映像機器が接続される。
【００２３】
送信装置では入力した映像情報が送信に適した形式の送信情報に変換（エンコード処理）される。例えば、ＭＰＥＧ方式によって映像情報（音声情報を含む。以下同じ）が圧縮符号化されたのち暗号化され、さらにパケット化されて送信される。パケット情報の送信は上述したように有線か無線である。
【００２４】
外部映像情報の中に、映像情報を制御するための付随情報が含まれているときはその情報処理も同時に行う。付随情報とは、複製制御情報としてのＣＧＭＳ（Copy Generation Management System）などのコピーガード情報である。
【００２５】
付随情報は映像情報から分離されて処理される。映像情報はそれ自体に誤り訂正機能を持っていたり、例えエラーが発生したとしても映像が一時的に乱れるが復帰するため、ＯＳＩ参照レベルでのＵＤＰ／ＩＰ（User Datagram Protocol/Internet Protocol）プロトコルによってエンコード処理される。これに対して付随情報は、エラーを考慮してＴＣＰ／ＩＰ（Transmission Control Protocol)プロトコルに則ってエンコード処理される。これは、伝送の過程でエラーが発生すると、受信装置側で正しく映像情報を制御できなくなるからである。
【００２６】
付随情報は、付随情報が挿入されている期間の全てに亘り、その情報を伝送するのではなく、付随情報の挿入期間の最初と最後のみ付随情報およびこの付随情報に関連した情報のみを伝送する。つまり付随情報を圧縮して伝送する。付随情報の種別を示す情報や、付随情報の開始および終了を示す情報が符号化される。これによって伝送すべき情報量を大幅に削減できる。ある一定時間間隔で付随情報を間欠的に伝送することでもよい。
【００２７】
また、請求項５に記載したこの発明は、通信用のＬＡＮインタフェース部と、
このＬＡＮインタフェース部によって受信された情報のうち、映像情報と付随情報とに分けてデコードする信号処理部と、
デコードされた映像情報を、同期信号が付加された映像信号に再構築する映像信号用エンコード部と、
上記デコードされた付随情報から本来の付随情報を生成する付随情報生成部と、
生成された上記付随情報を上記映像信号に合成する信号合成部と、
上記映像信号の出力端子を有することを特徴とする。
【００２８】
受信装置では、送信装置での信号処理と逆の信号処理が行われて映像情報などが復元される。映像情報はテレビジョン方式に則ったコンポジット信号又はセパレート信号として再構築される。付随情報が存在するときはこの付随情報がコンポジット信号などに合成（重畳）された状態で出力端子に出力される。
【００２９】
出力端子に得られる信号はコンポジット信号（セパレート信号）であるため、テレビ受像機に供給すれば直ちに映像を映し出すことができる。
【００３０】
ネットワーク回線（インターネット回線）経由でこの映像情報を取得することで、受信装置からの信号をテレビ受像機に供給すれば外出先でも放送番組などを楽しむことができる。
【発明の効果】
【００３１】
この発明の送信装置では、映像情報に付随情報が付加されているときは、この付随情報に関連した情報を映像情報とは異なるエンコード処理を行うと共に、情報を圧縮して伝送するようにしたものである。
【００３２】
これによれば、映像情報に関連した付随情報を映像情報と一緒に伝送できると共に、付随情報の伝送量を圧縮できる特徴を有する。
【００３３】
また、この発明の受信装置では、受信した映像情報からコンポジット信号やセパレート信号が再生されると共に、付随情報が付加されているときはこの付随情報をコンポジット信号やセパレート信号に重畳して出力するようにしたものである。
【００３４】
これによれば、付随情報を確実に再生できるので、再生されたコンポジット信号などを用いてもこの付随情報に基づいて映像を的確に制御できる特徴を有する。
【発明を実施するための最良の形態】
【００３５】
続いて、この発明に係る送信装置および受信装置の好ましい実施例を図面を参照して詳細に説明する。
【００３６】
（情報送受信システムについて）
この発明は、情報の送受信システムに適用できる。情報の送受信システムとは図１に示すように、情報の送信装置２０と、その受信装置５０とからなり、受信装置５０で受信した情報は映像表示手段として機能する既存のテレビ受像機６０によって表示される。送信装置２０が自宅の１階に設置されているときは、テレビ受像機６０や受信装置５０は同じ階の別の部屋か、別の階に設置され、送信装置２０から離れた状態で情報の送受信が行われる。
【００３７】
送信装置２０と受信装置５０との間は、有線通信か無線通信によって結ばれる。何れも、ＩＥＥＥ８０２．３規格に準拠した有線ＬＡＮまたはＩＥＥＥ８０２．１１ａ／ｂ／ｇ規格に準拠した無線ＬＡＮによって通信が行われる。図１には送信装置２０と受信装置５０との間が無線ＬＡＮ回線Ｌａによって接続された例と、送信装置２０にルータ８０が接続され、ルータ８０と受信装置５０とがＬＡＮケーブルＬｂによって接続されることで、送信装置２０と受信装置５０とが有線ＬＡＮ回線によって結ばれた例をそれぞれ示す。そのため、送信装置２０と受信装置５０には、それぞれ上述したＬＡＮインタフェース部（後述する）を備える。
【００３８】
送信装置２０は受信装置５０からの制御信号によって制御される。受信装置５０はリモートコントローラ９０により制御される。制御すべき情報はテレビ受像機６０に映し出された項目を選択することによって行われる。テレビ受像機６０に表示する項目の内容など、表示制御用のソフトウエアは受信装置５０に保存されており、リモートコントロール信号によってソフトウエアの選択および表示項目（メニューなど）の選択などが行われる。
【００３９】
情報の送信装置２０は、後述するようにテレビチューナを内蔵する。外部のアンテナ２２で受信されたテレビジョン信号（例えば地上波アナログテレビジョン信号）は内蔵のテレビチューナに供給される。チャンネルの選局は受信装置５０からの選局信号によって行われる。チャンネルの選局はしたがってリモートコントローラ９０側から行う。
【００４０】
送信装置２０はまた外部入力端子２６を有する。外部入力端子２６には映像機器（外部映像機器）２７が接続される。外部映像機器２７は、ＤＶＤ、ＶＴＲ、ＳＴＢなどが考えられる。図１は、ＤＶＤを接続した場合であって、ＤＶＤ２７に対する再生制御などは送信装置２０経由で受信装置５０側から制御される。図１では１つの外部入力端子が例示されているが、複数のビデオ入力が受け付けられるように設置する外部入力端子数は任意である。送信装置２０からＤＶＤ２７を制御するため、制御信号（リモートコントロール信号）を出射するための機器制御素子４４がＤＶＤ２７の受光部近くにセットされる。
【００４１】
送信装置２０によって映像情報が送信に適した形式の送信情報に変換される。例えば、ＭＰＥＧ方式によって映像情報（音声情報を含む。以下同じ）が圧縮符号化されたのちそのエレメンタリーストリーム（ＥＳ）が暗号化された上でパケット化されて送信される。パケット情報の送信は有線か無線である。有線送信に対し、無線送信の場合は二重の暗号化が行われる。情報の秘匿性を高めるためである。暗号化は、ＤＥＳ（Data Encryption Standard）方式、ＡＥＳ（Advanced Encryption Standard）方式、ＷＥＰ（Wired Equivalent Privacy）方式、その他の暗号化方式を利用する。
【００４２】
送信装置２０と受信装置５０との通信が確立してから、パケット情報の送信が行われる。受信装置５０は、受信したパケット情報をデコード処理して、テレビジョン信号を生成する。そのため、ＭＰＥＧデコーダ（後述する）によって伸長復号処理される。復号処理された情報のうち、音声情報はアナログ変換されてアナログ音声信号となされてから受信装置５０の出力端子に供給される。
【００４３】
復号された映像情報は、さらにテレビジョン方式に則ったエンコード処理が行われて同期信号を含めたＮＴＳＣ方式あるいはＰＡＬ方式のテレビジョン信号に再構築された上で受信装置５０の出力端子に供給される。
【００４４】
送信装置２０からの送信情報の中に、映像情報と共に、この映像情報を制御するための付随情報が含まれているときはその情報処理も同時に送信する。付随情報とは、コピーガード情報であって、複製制御情報としてのＣＧＭＳ（Copy Generation Management System）や、マクロビジョン情報などである。
【００４５】
これらの付随情報が映像情報と共に受信されたときは、この付随情報を解読して元の付随情報に戻してから映像信号に挿入付加される。この種付随情報は一般に垂直ブランキング期間に挿入されているので、垂直ブランキング期間の所定の水平周期にこれら付随情報が挿入される。
【００４６】
テレビジョン信号としてはコンポジット信号とセパレート信号の双方が出力される。そのため、受信装置５０にはコンポジット信号用の出力端子（映像・音声端子）と、セパレート信号用の出力端子（いわゆるＳ端子）とが用意されている。受信装置５０で受信したテレビジョン信号中に付随情報が含まれているときは、これら出力端子に得られるテレビジョン信号（コンポジット信号やセパレート信号）中にも付随情報が挿入付加された状態で出力される。これは、出力端子をコピー機（ＶＴＲやＤＶＤなど）に接続してコピーするとき、付随情報に応じたコピー制御などを実行できるようにするためである。
【００４７】
受信装置５０の出力端子とテレビ受像機６０との間は専用のケーブル６１によって接続され、リモートコントローラ９０からの制御情報の表示、受信した映像の表示が行われる。
【００４８】
また、図１に示すようにルータ８０にはモデム１００を介してネットワーク回線（インターネット回線）１１０が接続される。モデム１００は、ＡＤＳＬやＩＳＤＮ用モデムや、光ファイバー用のモデムなど、使用環境に応じたモデムが選択使用される。
【００４９】
図１の構成とすることによって、リモートコントローラ９０を用いて受信装置５０および送信装置２０経由でインターネット回線１１０に接続されたＷｅｂサーバ（図示はしない）にアクセスできる。Ｗｅｂページの情報を取得してテレビ受像機６０に表示できる。
【００５０】
あるいはテレビ受像機６０の画面にソフトウエアキーボードを表示して、メールを作成し、メールサーバ（図示はしない）にアクセスしてメールを送信したり、メールを受信してその内容をテレビ受像機６０に表示するなどの情報の送受信を行うことができる。
【００５１】
この情報送受信システム１０によって例えば、送信装置２０で受信した放送番組を、送信装置２０とは別の部屋に設置されているテレビ受像機６０でリアルタイムに視聴することできるようになる。Ｗｅｂページをアクセスして各種情報を取得することもできる。
【００５２】
（リモートコントローラ９０について）
図２は上述した処理を実現するためのリモートコントローラ９０の一例を示す。リモートコントローラ本体９１には、テレビ受像機６０自体の電源や音量などを制御するための操作ボタン系９２と、受信装置５０および受信装置５０を介して送信装置２０などを制御する操作ボタン系９３があり、本体中央よりも下側にカーソルキー（矢印表示）や、決定ボタン９５などが配されている。リモートコントロール信号は赤外線（ＩＲ）が利用される。
【００５３】
一方の操作ボタン系９２にあって、テレビ受像機６０用の電源のオンオフを制御するボタンがある。入力切換えボタンはテレビ受像機側の入力切換えを行うときに使用されるボタンであり、音量は＋、−ボタンで調整される。消音ボタンによって音を一時的に消音できる。
【００５４】
他方の操作ボタン系９３にあって、入力切換えボタンは、送信装置２０に設けられた入力選択部を制御するためのボタンであり、画面表示用のボタンは、現在の受信装置５０の動作状態や、外部映像機器２７の動作状態がテレビ受像機６０の画面上部にバー表示される。設定用のボタンは、設定画面をテレビ受像機６０の画面に表示するときに使用するボタンである。画面リモコン用のボタンは、テレビ受像機６０の画面に表示された項目を、カーソルキーを用いて選択するときに使用するボタンである。
【００５５】
オプションボタンによって送信装置２０との回線接続処理の他に、テレビ受像機６０や送信装置２０側のビデオなどの映像や音声などを調整したりする処理を、カーソルキーと併用することで実行される。カーソルリモコンボタンは、送信装置２０に接続された外部映像機器２７に対する表示メニュー（テレビ受像機６０に表示）をダイレクトに選択するときに使用されるボタンである。戻るボタンは、１つ前の画面に戻るときに使用される。
【００５６】
テレビ受像機６０には、図示はしないが、送信装置２０との接続状態を示すアイコンが表示される。無線ＬＡＮによる回線接続状態（接続および接続不可）、有線ＬＡＮによる回線接続状態（接続および接続不可）、送信装置２０に対する接続状態などが対応するアイコンによって表示される。
【００５７】
（送信装置２０について）
図３は情報送受信システム１０の他の使用形態例を示す。この例は、滞在先や赴任先などの外出先での使用例である。
【００５８】
図３においては、便宜的に自宅エリア１２０と外出先エリア１３０とに分けて説明する。自宅エリア１２０は上述したように送信装置２０と、これに接続された外部映像機器２７と、さらにインターネット回線１１０に接続するためのルータ８０およびモデム１００からなる。自宅エリア１２０には複数の受信装置５０やテレビ受像機６０を設置できる。
【００５９】
外出先エリア１３０としては、インターネット回線１１０に接続するためのモデム１４０、モデム１４０に接続するためのＬＡＮ回線用のルータ１５０およびテレビ受像機６０である。このテレビ受像機６０を利用して映像を楽しむ場合には、アクセスポイントとして機能するルータ１５０と、テレビ受像機６０との間に単一若しくは複数の受信装置５０がＬＡＮ回線を介して接続される。ＬＡＮ回線への接続は図のようにＬＡＮケーブルＬｃを利用してルータ１５０と受信装置５０とを接続する有線ＬＡＮによる場合と、無線ＬＡＮＬｄによって受信装置５０とルータ１５０とを接続する場合とが考えられる。
【００６０】
受信装置５０を起動してインターネット回線１１０を経由して自宅エリア１２０側に設置された送信装置２０にアクセスして、受信装置５０との通信を確立させてから、映像などの送信媒体を選択する。例えば、送信装置２０に内蔵されたチューナを制御する。チューナによって選局した現在放送中の放送番組情報がインターネット回線１１０経由で受信装置５０に送られる。これで外出先のテレビ受像機６０を利用してリアルタイムで現在放送中の放送番組を視聴できる。
【００６１】
自宅エリア１２０の外部映像機器２７を制御することで、例えばＤＶＤより再生された映像を視聴できる。インターネット回線１１０に接続されたＷｅｂサーバをアクセスしたり、メールの作成および送受信処理なども可能である。
【００６２】
なお、外出先に携帯される受信装置５０は、自宅エリア１２０内で使用している受信装置である場合と、これらとは別個の受信装置である場合とが考えられるが、自宅エリア１２０内で使用されているのとは別の受信装置５０を携帯する場合でも送信装置２０をアクセスできるように初期設定される。
【００６３】
図４は送信装置２０の実施の形態を示す。送信装置２０は映像入力部２０Ａと、入力された映像を送信に適したデータ形式に変換する信号処理部２０Ｂと、ＬＡＮインタフェース部２０Ｃと、これら映像入力部２０Ａ、信号処理部２０Ｂ、ＬＡＮインタフェース部２０Ｃおよび外部映像機器２７をそれぞれ制御するための制御部２０Ｄとで構成される。
【００６４】
映像入力部２０Ａにあって、アンテナ２２で受信されたテレビジョン信号、例えば地上アナログテレビジョン信号（以下テレビジョン信号という）は入力端子２３を経てチューナ２４に供給され、チューナ２４で希望の放送局が選局される。選局されたチャンネルの放送番組は信号選択部２５に供給される。
【００６５】
他方の入力端子２６には外部映像機器２７が接続される。外部映像機器２７としてはＤＶＤ、ＶＴＲ、ＳＴＢなどが考えられる。図４はＤＶＤ２７が接続されている。ＤＶＤ２７で再生された映像情報（音声情報を含む）は入力端子２６を経てＡＶ入力部２８に供給されて映像情報部分（映像信号であれば有効画素部分）と、ブランキング部分とに分離される。
【００６６】
映像情報部分は信号選択部２５に供給され、ブランキング部分はＡ／Ｄ変換部２９に供給されてデジタル信号に変換されたあと、制御部２０Ｄに供給される。ブランギング部分は水平ブランキング期間と垂直ブランキング期間の双方を含む。
【００６７】
ＡＶ入力部２８において、ブランキング部分とそれ以外の部分に分離したのは、ＤＶＤ２７などから出力された映像情報には、そのブランキング期間にこの映像情報を制御するための付随情報が挿入付加されている場合があるので、付随情報が付加されているときは、この付随情報とそれ以外の情報を切り離して信号処理するためである。
【００６８】
付随情報とは、コピーガード情報や、画面サイズを切り替えるためのワイド検出信号などが考えられる。コピーガード情報は、再生された映像情報に対してコピー（記録）できるコンテンツであるのか、ライトワンスか、それともコピー禁止であるのかを示す情報である。コピーガード情報としては、複製制御情報であるＣＧＭＳや、マクロビジョン(Macrovision)などが考えられる。
【００６９】
信号選択部２５ではテレビジョン信号と映像情報部分（以下映像情報という）の選択が行われ、選択された何れかの映像情報は信号処理部２０Ｂに供給される。信号処理部２０Ｂは、制御部２０Ｄの制御に基づいて、伝送に適した信号形態（データ形式）に変換するために設けられたもので、この例ではＭＰＥＧ−２やＭＰＥＧ−４方式によるデータ圧縮形式を用いて信号処理される。したがってこの信号処理部２０ＢはＭＰＥＧエンコーダ部（以下ＭＰＥＧエンコーダ部という）として機能する。
【００７０】
映像情報は圧縮・符号化部３１において、デジタル変換処理および圧縮・符号化処理が行われてＭＰＥＧ方式に則った映像および音声のエレメンタリーストリームＥＳとなされる。映像エレメンタリーストリームおよび音声エレメンタリーストリームは次の暗号化部３２において暗号化処理される。
【００７１】
暗号化方式としては、上述したようにＤＥＳ方式、ＡＥＳ方式、ＷＥＰ方式などが考えられる。有線ＬＡＮの場合には、ＤＥＳ方式、ＡＥＳ方式の暗号化方式のうちの何れかが採用されるのに対して、無線ＬＡＮによる通信の場合には、秘匿性を考慮して例えば、ＡＥＳ方式によって暗号化した上でさらにＷＥＰ方式による暗号化を行う二重暗号化が採用されている。そのため、有線ＬＡＮによる通信か、無線ＬＡＮによる通信かによって暗号化部３２での暗号化処理が選択される。
【００７２】
暗号化された映像エレメンタリーストリームおよび音声エレメンタリーストリームはパケット生成部３３に供給されて所定のプロトコルにしたがったパケット処理が行われる。
【００７３】
パケット生成処理は、受信装置５０が図３に示す自宅エリア１２０として使用されているモード（自宅エリアモードという）と、外出先エリア１３０として使用されているモード（外出先エリアモードという）とによって相違する。
【００７４】
自宅エリアモードの場合には、パケット化された複数のエレメンタリーストリームＰＥＳ（Packetized Elementary Stream）を使用して生成されたプログラムストリームＰＳ（ＭＰＥＧ−ＰＳ）を、ＯＳＩ参照モデルのＵＤＰ／ＩＰプロトコルに規定されたフォーマットとなるようなパケットとして生成される。プログラムストリームとするのは、エラーの可能性が低い環境（自宅内）で使用されるためである。また、このときの伝送レートは高ビットレート（１０Ｍｂｐｓ程度）が確保される。
【００７５】
また、外出先エリアモードの場合には、パケット化された複数のエレメンタリーストリームＰＥＳを使用して生成されたトランスポートストリームＴＳ（ＭＰＥＧ−ＴＳ）を、ＯＳＩ参照モデルのＲＴＰ／ＩＰ（Real-time Transport Protocol/Internet Protocol）プロトコルに規定されたフォーマットとなるようなパケットとして生成される。トランスポートストリームとするのは、エラーが発生しうる環境で使用されるためである。また、このときの伝送レートはインターネットの環境によって相違するが、大凡３００〜５００Ｋｂｐｓ程度となる。
【００７６】
受信装置５０では、パワーオンされたときに受信装置５０で通信できるＬＡＮ回線内に、ネットワーク接続機器である特定の送信装置２０が存在するかどうかの探索処理を行い、送信装置２０が存在するときは自宅エリアモードと判断することで、送信装置２０に対しては自宅エリアモードでの信号処理するような指示がなされる。
【００７７】
同じく、外出先での使用の場合のように、ＬＡＮ回線（外出先ＬＡＮ回線）内に送信装置２０が存在しないときには外出先エリアモードと判断して、外出先エリアモードでの信号処理を行うような指示がなされる。このモードによる信号処理の指示に基づいて、上述したような信号処理が実行される。
【００７８】
パケット生成部３３では、上述した映像情報の他に、付随情報のパケット処理も行われる。付随情報としては、上例によればコピーガード情報、ＣＧＭＳ情報およびマクロビジョン情報である。映像情報にこの付随情報が付加されていたときは、この付随情報もパケット化されて伝送される。
【００７９】
映像情報に付随情報が付加されているときは、符号化情報生成部３４において、付随情報が付加されたタイミングに、付随情報が符号化される。符号化された付随情報（付随符号化情報）は、パケット生成部３３において上述した情報送受信システムに適用されるフォーマットに基づいたフォーマット処理が行われた後、パケット化される。この付随情報用パケットは、伝送経路でエラーが発生しても対処できるように、ＴＣＰ／ＩＰプロトコルに規定されたフォーマットのパケットとして生成される。
【００８０】
符号化情報生成部３４では、付随情報が付加された最初のブランキング期間における水平走査期間のタイミングと、付随情報が付加された最後のブランキング期間における水平走査期間のタイミングの２回だけ、付随符号化情報を生成する。付随情報が付加された期間は同じ情報が伝送されるので、情報量の削減を図れるからである。
【００８１】
付随情報は、付随情報が挿入されている期間の全てに亘り、その情報を伝送するのではなく、付随情報の挿入期間の最初と最後のみ付随情報およびこの付随情報に関連した情報のみを伝送する。つまり付随情報を圧縮したがって伝送する。付随情報の種別を示す情報や、付随情報の開始および終了を示す情報が符号化される。これによって伝送すべき情報量を大幅に削減できる。付随情報の伝送形態（パターン）はこの例に限らず、例えばある一定時間間隔ごとに付随情報を伝送する間欠的な伝送形態でもよい。
【００８２】
ＬＡＮインタフェース部２０Ｃは、有線ＬＡＮインタフェース部３５と無線ＬＡＮインタフェース部３６とを有する。有線ＬＡＮインタフェース部３５にはその入力側にＬＡＮコネクタ３５ａが接続され、その出力が制御部２０Ｄに接続される。同じく無線ＬＡＮインタフェース部３６には送受信用のアンテナ素子３７が接続される。その出力が制御部２０Ｄに接続される。制御部２０Ｄを構成する内部バスにはルータ用の接続コネクタ４６ａを有するインタフェース部４６が接続される。ルータ用インタフェース部４６は有線ＬＡＮインタフェース部３５と兼用することも、もちろん可能である。上述した何れのインタフェース部３５，３６も、この例ではＩＥＥＥ８０２．３またはＩＥＥＥ８０２．１１ａ／ｂ／ｇ規格に準拠したＬＡＮインタフェースによって構成される。
【００８３】
ＬＡＮインタフェース部２０Ｃは受信装置５０との間での通信を行うためのものであり、受信した情報に基づいて、送信装置２０自体の制御の他に、外部映像機器２７の制御や、インターネット回線１１０への接続などが実行される。
【００８４】
制御部２０Ｄは、装置全体の制御を司るＣＰＵを使用した制御手段４０を有し、その内部バスにはメモリコントローラ４１を介してメモリ手段４２が接続される。メモリ手段４２としては、各種の処理プログラムが格納されたＲＯＭとワーキングエリアとして機能するＲＡＭとで構成される。制御部２０Ｄにはさらにリモコン受光部４５からの受光信号が供給される。
【００８５】
制御部２０Ｄからは映像入力部２０Ａを構成するチューナ２４や、信号選択部２５に対する制御信号が生成されると共に、ＡＶ入力部２８に対しても分離信号が供給されて、ブランキング部分とそれ以外の分離処理が行われる。また、コントローラ４３を介してＤＶＤ２７に対するリモートコントロール用の制御信号が生成される。この例ではＤＶＤ２７の受光部近くに取り付けられた、光信号（赤外線）の機器制御素子（発光素子）４４に対してその制御信号が供給される。
【００８６】
さらに、信号処理部を構成するＭＰＥＧエンコーダ２０Ｂに対する自宅エリアモードや外出先エリアモードに対応した制御処理に加え、付随情報が存在するときのパケット生成処理などが実行される。
【００８７】
このＭＰＥＧエンコーダ部２０Ｂで生成された所定のパケットデータは有線ＬＡＮインタフェース部３５あるいは無線ＬＡＮインタフェース部３６を介して自宅エリア１２０内の受信装置５０や、インターネット回線１１０に接続された外出先エリア１３０内の受信装置５０に向けて発信される。さらにはルータ８０を介してインターネット回線１１０に接続されたＷｅｂサーバから情報を入手して受信装置５０に送出するなどのデータ授受処理が行われる。
【００８８】
（受信装置５０について）
図５は受信装置５０の実施の形態を示す。受信装置５０はＬＡＮインタフェース部５０Ａと、ＬＡＮインタフェース部５０Ａで受信した信号を元の信号に戻す信号処理部５０Ｂと、その制御部５０Ｃと、リモートコントロール信号の処理部５０Ｄとで構成される。
【００８９】
ＬＡＮインタフェース部５０Ａは、送信装置２０から送信された情報信号を受信したり、送信装置２０に向けて制御信号などを送信するためのインタフェース部である。この場合のインタフェース部５０Ａも、ＩＥＥＥ８０２．３またはＩＥＥＥ８０２．１１ａ／ｂ／ｇ規格に準拠したＬＡＮインタフェースを構成する。このインタフェース部５０Ａは有線ＬＡＮ用のインタフェース部（イーサネット（登録商標）モジュール）５２と、無線ＬＡＮ用インタフェース部５３を備える。有線ＬＡＮインタフェース部５２にはＬＡＮコネクタ５２ａを有し、無線ＬＡＮインタフェース部５３にはアンテナ素子５４を有する。
【００９０】
これらインタフェース部５２，５３はＰＣＩバスを介して後述する制御部５０Ｃを構成するＣＰＵ７０の内部バスに接続され、インタフェース部５２，５３で受信した情報信号がこのＣＰＵ７０を経由して信号処理部５０Ｂに供給される。
【００９１】
信号処理部５０ＢはＭＰＥＧデコーダ部として機能する。ＭＰＥＧデコーダ部５０Ｂは、内部バスに接続されたＭＰＥＧデコーダ５４と、ＭＰＥＧデコーダ５４より出力された映像データが供給されるビデオエンコーダ５７と、付随符号化情報を復号する付随情報再生部５９とで構成される。
【００９２】
ＭＰＥＧデコーダ５４は、受信した情報信号（データ信号）に含まれる、暗号化およびパケット化されたＭＰＥＧ方式による映像エレメンタリーストリーム（ＥＳ）と音声エレメンタリーストリームに対する復号化処理と、映像エレメンタリーストリームおよび音声エレメンタリーストリームへの伸長および復号処理が行われる。復号された音声エレメンタリーストリームはオーディオ用のＤ／Ａ変換器５５に供給されてアナログ音声信号に戻される。アナログ音声信号は第２の信号合成部５６に供給される。
【００９３】
復元された映像エレメンタリーストリームはビデオエンコーダ（映像信号用エンコード部）５７に供給されて、映像信号のアナログ変換処理と、アナログ映像信号を所定のテレビジョン方式に変換すると共に、コンポジット信号Ｓｃとセパレート信号Ｓｓの２形式で出力する信号処理が行われる。同時に、映像信号には同期信号の付加処理が行われる。テレビジョン方式とはこの例ではＮＴＳＣ方式かＰＡＬ方式を指す。アナログ化された映像信号（コンポジット信号Ｓｃおよびセパレート信号Ｓｓ）は第１の信号合成部５８に供給される。
【００９４】
ＭＰＥＧデコーダ５４でデコードされた付随符号化情報は、付随情報再生部５９に供給されて付随情報が再生されると共に、垂直ブランキング期間の所定の水平周期のとき、付随情報が第１の信号合成部５８に供給される。第１の信号合成部５８では所定の水平周期に供給されたこの付随情報を映像信号に挿入付加して第２の信号合成部５６に供給する。
【００９５】
第２の信号合成部５６では、コンポジット信号Ｓｃにアナログ音声信号が合成されて第１の出力端子（映像・音声端子）６５ａに供給され、またセパレート信号Ｓｓにアナログ音声信号が合成されて第２の出力端子（Ｓ端子）６５ｂに供給される。したがって、受信装置５０で受信したテレビジョン信号中に付随情報が含まれているときは、これら出力端子６５ａ，６５ｂに得られるテレビジョン信号（コンポジット信号やセパレート信号）中にも付随情報が挿入付加された状態で出力される。
【００９６】
制御部５０は、信号処理を司るＣＰＵ７０を有する。このＣＰＵ７０の内部バスにはメモリコントローラ７１を介してメモリ手段７２が接続される。メモリ手段７２は、ＬＡＮインタフェース部５０Ａで受信した情報信号に対してＭＰＥＧデコード処理を行ったり、付随情報の復号処理をおこなったりするための処理プログラムなどが格納されたＲＯＭと、処理データを一時保存するなどのワーキングメモリとして機能するＲＡＭなどで構成される。なお、この例ではＭＰＥＧデコーダ５０ＢとＣＰＵ７０回り（破線図示）は１チップ化されている。
【００９７】
リモートコントローラ制御部５０Ｄはリモートコントロール信号受光部７５と、受光されたリモートコントロール信号が供給されるサブマイクロコンピュータ（サブマイコン）７６とで構成される。リモートコントロール信号によって、送信装置２０に対する回線確立処理のための起動処理を始めとして、送信装置２０自身に対する制御処理、外部映像機器２７に対する制御処理などが実行される。そのため、サブマイクロコンピュータ７６ではこれらの処理信号をＣＰＵ７０に受け渡す。
【００９８】
サブマイクロコンピュータ７６には表示コントローラ７７を介して表示部７８が接続される。表示部７８には複数の表示灯が設けられている。図５の例では電源表示灯、有線ＬＡＮ回線が確立しているときに点灯する表示灯（有線ＬＡＮ）、無線ＬＡＮ回線が確立しているときに点灯する表示灯（無線ＬＡＮ）などがある。これら表示灯は何れもＬＥＤが使用される。
【００９９】
上述した受信装置５０にあっては、映像を表示するための表示部（モニタ画面）や、映像を蓄積するための手段などが搭載されていないため、小型化および携帯性に優れている。そのため、この種受信装置５０を安価に提供できると共に、外出するときでも簡単に携帯できる。
【０１００】
（受信装置５０での処理について）
このように構成された情報送受信システム１０における処理例を以下に示す。
図６は受信装置５０と送信装置２０との間での初期設定処理例を示すフローチャートであって、受信装置５０側で行われる処理である。
【０１０１】
受信装置５０は図３に示すように自宅エリア１２０内で使用する場合と、外出先エリア１３０内で使用する場合がある。自宅エリア１２０内で使用する場合には自宅内のＬＡＮ回線に送信装置２０が接続されているのに対して、外出先エリア１３０の場合には外出先のＬＡＮ回線には送信装置２０が繋がっていない。送信装置２０の有無で自宅エリア１２０と外出先エリア１３０が峻別される。また、自宅エリア１２０と外出先エリア１３０とでは通信速度が相違したり、データ処理方式が相違するので、初期設定処理では、自宅エリア１２０と外出先エリア１３０にそれぞれ対応した通信処理条件を確保する処理を行う。
【０１０２】
そのため、受信装置５０にはこのような通信処理条件を確保して、受信装置の使用場所を気にすることなくネットワークに接続された対象機器（送信装置２０）との通信を行える手段と、対応する初期設定プログラムが装備されている。
【０１０３】
その手段とは、第１に、同一のネットワーク回線内に接続された全ての機器に対して、ブロードキャストする送信手段であり、第２に、送信された上記信号に対する返信信号内に特定の機器を識別するための情報（識別子）があるか否かを判別する判別手段であり、第３に、識別子を含む返信信号を受信したときには、同一のネットワーク回線内に上記機器が接続されているもとのとして、上記機器に対する通信条件を設定する手段である。これらに加えて、その手段にはネットワーク接続機器との通信を行うＬＡＮインタフェース部を備える。
【０１０４】
続いて、初期設定プログラムに基づく処理例を図６を参照して以下に示す。
図６において、受信装置５０の電源がオンされると、この初期設定プログラムが起動され、ＬＡＮ回線（ネットワークエリア）に接続された全ての機器に対して、送信装置２０を確認するためのブロードキャストパケット信号が送信される（ステップ２０１）。初期設定信号はパケット信号である。
【０１０５】
ＬＡＮ回線に接続された全ての機器はこのブロードキャストパケット信号（初期設定信号）を受信する。自機が送信装置２０であるときはそのパケット信号に含まれる特定のビットに、自機が送信装置２０であることを示す識別情報（コード若しくはフラグなどの識別子）を挿入して返信する（ステップ２０２）。
【０１０６】
ＬＡＮ回線に接続された全ての機器はブロードキャストに対する返信を行う。受信装置５０は返信されたパケット中に送信装置２０であることを示す識別情報（識別子）を含むパケット信号を受信したか否かで送信装置２０の有無を判別する。
【０１０７】
ステップ２０２ではブロードキャストパケット信号に対する返信信号の内容を判定し、特定のビットに識別子が挿入されているときは、同じＬＡＮ回線の中に送信装置２０が接続されているものと判断する。ステップ２０２で送信装置２０の存在が確認されたときは、ステップ２０３で送信装置２０に対する初期設定のための通信処理条件（自宅エリア用の通信処理条件）を確保する。
【０１０８】
自宅エリア用の通信処理条件としては、第１にＯＳＩ参照モデルのプロトコルを自宅エリアモード用（ＵＤＰ／ＩＰプロトコル）に設定する。第２に、通信速度を設定する。自宅エリアモードのときは高ビットレート（１０Ｍｂｐｓ程度）に設定される。第３に、受信装置５０側の画面サイズを設定する。ビットレートなどの設定を行うため、このステップ２０３は能力交換処理ステップとも言える。
【０１０９】
初期設定情報としての通信処理条件を確保した後は送信装置２０との間での通信を行い、通信が確立したときは確保した（保存した）通信処理条件を示す各情報若しくは対応する設定フラグが送信装置２０側に送信される（ステップ２０４）。送信装置２０ではこの通信処理条件を示す情報や設定フラグに基づいて、指定されたプロトコルに基づいてＭＰＥＧ方式による信号処理が実行されることになる。
【０１１０】
ステップ２０２で識別子を含む返信信号が存在しないと判断されたときは、同じＬＡＮ回線の中に送信装置２０が接続されていないものと判断する。つまり、この場合は受信装置５０は外出先エリア１３０からの初期設定処理と判断する。そのため、この場合には外出先から送信装置２０を制御するために必要な設定画面がテレビ受像機６０に表示される（ステップ２０５）。
【０１１１】
この設定画面では、送信装置２０が複数存在することを考慮して、どの送信装置２０に対して通信を行うかの選択を行う。例えば図７のような設定画面が表示され、特定の送信装置２０が指定される。送信装置２０を指定してから、指定した送信装置２０に並んで表示された「接続」キーを押すことで、インターネット回線への接続処理の待機状態となる。
【０１１２】
その後、ステップ２０６で通信処理条件の確保処理が行われる。受信装置５０は外出先であるので、この場合は外出先エリアモードとなり、外出先エリアモード用の通信処理条件が確保される。第１に、ＯＳＩ参照モデルのプロトコルを外出先エリアモード用（ＲＴＰ／ＩＰプロトコル）に設定する。第２に、通信速度をインターネット回線に合わせる。第３に、受信装置５０側の画面サイズを設定する。
【０１１３】
このような通信処理条件を表す情報が確保されてから、インターネット回線１１０への接続待機状態が解禁される（ステップ２０７）。これによってインターネット回線１１０経由で送信装置２０との通信が行われ、送信装置２０側ではこの初期設定情報に基づいた信号処理に変更される。
【０１１４】
このように受信装置５０の電源をオンしたときに自宅ＬＡＮ回線に送信装置２０が接続されているかどうかを自動的に確認することで、それぞれの使用エリアに合った信号処理を自動的に設定できる。上述した通信処理条件は一例であり、その設定項目数も例示に限られない。
【０１１５】
（付随情報の判別処理について）
図８は、付随情報の判別処理例を示すフローチャートである。
付随情報の有無を表す変数を、「ＦＬＡＧ」として表したとき、図８に示すフローチャートではまずこの変数ＦＬＡＧをリセット（＝０）する（ステップ２１０）。変数ＦＬＡＧをリセット（ＦＬＡＧ＝０）してから垂直同期信号VSyncを検知する（ステップ２１１）。
【０１１６】
この最初の垂直同期信号が検出されたときには、水平同期信号用のカウンタのカウント数Ｃをリセットし（Ｃ＝０）（ステップ２１２）、リセット処理が終了すると水平同期信号が検出されるまで待機状態となる（ステップ２１３）。水平同期信号が検出されると、カウント数Ｃを「１」だけインクリメントする（ステップ２１４）。このカウント処理は水平同期信号Ｈの数が所定数（例えば、Ｃ＝１０）となるまで継続される（ステップ２１５）。これは付随情報は垂直ブランキング期間の１０番目の水平同期信号から１７番目の水平同期信号までの間に挿入されているからである。
【０１１７】
カウント数Ｃが所定数（＝１０）となったその水平走査期間に付随情報の存在を確認する（ステップ２１６）。この１０番目の水平走査期間に付随情報の存在が確認されなかったときには、変数ＦＬＡＧを初期状態のままにして（ステップ２１７）、付随情報の存在の確認処理を続行する。つまり、水平同期信号Ｈの数が１８を越えるまでは付随情報の存在の確認処理が継続される（ステップ２１８，２１２）。
【０１１８】
水平同期信号Ｈの数が１８を越えると、ステップ２１０に遷移し、再び次の垂直同期信号の到来を検知する。なお、映像情報に付随情報が挿入されているときは、最初の垂直ブランキング期間からこの付随情報が挿入されているのが普通であるから、付随情報の存在が確認されないときは、次の映像ソースに切り替えられるまでは、同じ処理が繰り返されることになる。
【０１１９】
再び垂直ブランキング期間が到来し、垂直同期信号が検出されたときも（ステップ２１１）、水平同期信号Ｈのカウント数をリセットした状態でステップ２１２以降の処理が続行される。そして水平同期信号数が所定数となったときで（Ｃ＝１０）、その水平走査期間内に付随情報の存在が確認されたときには（ステップ２１６）、ステップ２２０に進む。
【０１２０】
ステップ２２０では変数ＦＬＡＧの状態が判別され、ＦＬＡＧ＝０であるときには、これを反転処理（ＦＬＡＧ＝１）してからパケット生成処理を行うための付随符号化処理に移行する（ステップ２２１，２２２）。この付随符号化処理は、図４における付随符号化処理のことであって、付随情報の種別を示すコード情報と、付随情報に応じたコード情報と、付随情報の開始を示すコード情報（フラグＦ＝１）の各符号化処理である。上述したように符号化された付随符号化情報はＭＰＥＧエンコーダ部５０Ｂにおいてパケット化処理が行われる。
【０１２１】
そのときの水平同期信号Ｈのカウント数Ｃは「１８」未満であるので（ステップ２１８）、ステップ２１３に戻り、水平同期信号Ｈの検出モードに遷移する。そして次の水平同期信号Ｈが検出され、その水平走査期間に挿入された付随情報が検出されたときには（ステップ２１４，２１５，２１６）、変数ＦＬＡＧの状態が判別される（ステップ２２０）。直前の水平走査期間に付随情報の挿入が検出されているので、変数ＦＬＡＧは、ＦＬＡＧ＝１となっている。そのため、２度目に検出された付随情報によっては付随符号化処理はなされず、そのままスルーしてステップ２２０からステップ２１８に進む。この処理は付随情報の挿入が検出されなくなるまで続く。
【０１２２】
このように１０番目の水平走査期間に付随情報が検出されることで付随情報に関する付随符号化処理が行われるが、それ以降は行われない。同じ付随情報に対して同じ符号化処理を行うのは伝送情報量を削減する上から好ましくないからである。
【０１２３】
さて、水平同期信号Ｈのカウント数Ｃが「１８」を越えると、もはや次の水平走査期間には付随情報が挿入されていないので、その場合はステップ２１６で付随情報の不存在が確認されると共に、その後ステップ２１７において変数ＦＬＡＧの状態が確認される（ステップ２１７）。変数ＦＬＡＧは、ＦＬＡＧ＝１のままであるので、この場合には変数ＦＬＡＧの反転処理（ＦＬＡＧ＝０）がなされる（ステップ２３０）。その後、付随符号化処理が実行される（ステップ２３１）。この場合の付随符号化処理は、付随情報の種別を示すコード情報と、付随情報に応じたコード情報と、付随情報の終了を示すコード情報（フラグＦ＝０）の各符号化処理である。
【０１２４】
このように付随情報が検出されたときには、付随情報の内容に応じた符号化処理と、付随情報の開始および終了を示すコード情報（フラグＦ）などが符号化処理される。受信装置５０側ではこの付随符号化の内容を解読することで、付随情報が存在するときはその付随情報が所定の水平走査期間に、元の数だけ映像信号に挿入されて出力されから、付随情報が挿入された元の映像信号に復元することができる。付随情報を圧縮して伝送することで、付随情報の伝送量を大幅に削減できる。
【０１２５】
上述した情報送受信システム１０では、送信装置２０が置かれたところとは別の場所に設置されているテレビ受像機６０を使用して送信装置２０自身に内蔵されたチューナ２４で選局された放送番組をリアルタイムで視聴できる他、この送信装置２０に接続された外部映像機器２７よりの再生映像情報を視聴できる。赴任先などの外出先からでもインターネット回線１１０経由で送信装置２０を制御できるため、上述したのと同じように外出先のテレビ受像機６０を映像表示手段として利用して自宅からの送信映像などを視聴できる。
【０１２６】
テレビ受像機６０の画面サイズは一般に大きいので、迫力ある映像を楽しむことができる。受信装置５０が自宅のＬＡＮ回線内に接続されている場合と、外出先のＬＡＮ回線に接続されている場合とを問わず、簡単に自宅のＬＡＮ回線に接続された送信装置２０とアクセスして通信を確立させることができるから、受信装置５０の使用場所によらず、この情報送受信システム１０を誤りなく利用することができる。
【０１２７】
映像情報に、この映像情報を制御するための複製制御情報などの付随情報が含まれている場合でも、誤りの少ないデータ形式で圧縮伝送できるので、付随情報を正しく再現できると共に、伝送量を差程増やすことなく受信装置５０側に伝送できる。そして付随情報が付加された元の映像信号に再構築できる。
【産業上の利用可能性】
【０１２８】
この発明は、自宅のＬＡＮ回線あるいはインターネット回線を利用してこれらに接続された外部映像機器などの映像情報を視聴できる情報送受信システムに適用できる。
【図面の簡単な説明】
【０１２９】
【図１】この発明を適用できる情報送受信システムの実施の形態を示す系統図である。
【図２】受信装置などを制御するためのリモートコントローラの操作ボタン例を示す平面図である。
【図３】この発明を適用できる情報送受信システムの他の実施の形態を示す系統図である。
【図４】送信装置の実施の形態を示す要部の系統図である。
【図５】受信装置の実施の形態を示す要部の系統図である。
【図６】受信装置と送信装置との通信方法を示すフローチャートである。
【図７】外出先エリアモードでの画面表示例を示す。
【図８】付随情報の判別処理例を示すフローチャートである。
【符号の説明】
【０１３０】
１０・・・情報送受信システム、２０・・・送信装置、５０・・・受信装置、６０・・・テレビ受像機、１１０・・・インターネット回線、８０，１５０・・・ルータ、１００，１４０・・・モデム、２０Ａ・・・映像入力部、２０Ｂ・・・信号処理部（ＭＰＥＧエンコーダ部）、２０Ｃ，５０Ａ・・・ＬＡＮインタフェース部、３５，５２・・・有線ＬＡＮインタフェース部、３６、５３・・・無線ＬＡＮインタフェース部、２０Ｄ、５０Ｃ・・・制御部、５０Ｂ・・・信号処理部（ＭＰＥＧデコーダ部）、５０Ｄ・・・リモートコントロール信号の処理部
【図１】
2008066898.tif 000003
【図２】
2008066898.tif 000004
【図３】
2008066898.tif 000005
【図４】
2008066898.tif 000006
【図５】
2008066898.tif 000007
【図６】
2008066898.tif 000008
【図７】
2008066898.tif 000009
【図８】
2008066898.tif 000010